(57)【要約】【課題】妨害電波に強く、しかも回路の小型化、ＩＣ化を図ることができるマルチキャリア送信機を提供する。【解決手段】周波数ｆ１の発振信号が得られる第１のＳＡＷ発振回路１１と、周波数ｆ２の発振信号が得られる第２のＳＡＷ発振回路１２と、これら第１及び第２のＳＡＷ発振回路１１、１２の発振信号を合成するミキサ１５と、これらの発振信号の何れかを選択可能な選択出力回路１７と、を設け、周波数ｆ１、ｆ２、ｆ３（ｆ１＋ｆ２）の何れかを発振信号を利用して送信可能に構成した。【選択図】図２
2010063062.tif 000002
【特許請求の範囲】
【請求項１】
互いに異なる周波数の発振信号を出力する複数のＳＡＷ発振回路と、
前記複数のＳＡＷ発振回路から出力される前記発振信号のそれぞれに変調を施し、複数
の変調出力信号を出力する変調回路と、
前記複数の変調出力信号を合成する混合器と、
前記混合器から出力される合成信号の高域周波数成分を通過させるハイパスフィルタと
、
前記変調回路の何れかの前記変調出力信号、または前記ハイパスフィルタを介して出力
される前記混合器の前記合成信号を選択して出力する選択出力回路と、
を備えたことを特徴とするマルチキャリア送信機。
【請求項２】
第１のＳＡＷ共振子を有し、第１の周波数の前記発振信号を出力する第１のＳＡＷ発振
回路と、第２のＳＡＷ共振子を有し、第２の周波数の前記発振信号を出力する第２のＳＡ
Ｗ発振回路と、を前記複数のＳＡＷ発振回路として有し、
前記混合器は、前記複数の変調出力信号を入力して合成し、前記第１の周波数と前記第
２の周波数との和の周波数成分を有する信号を出力することを特徴とする請求項１に記載
のマルチキャリア送信機。
【請求項３】
前記第１のＳＡＷ共振子、及び前記第２のＳＡＷ共振子を同一の圧電基板上に形成した
ことを特徴とする請求項２に記載のマルチキャリア送信機。
【請求項４】
入力された高周波信号から所定の周波数帯域成分を抽出する高周波フィルタ部と、
複数の異なる周波数の発振信号を出力する局部発振器部と、
前記高周波フィルタ部により抽出された高周波信号と前記局部発振器部の発振信号とを
混合するミキサと、
前記ミキサの出力信号を復調する復調部と、を備え、
前記高周波フィルタ部は、一対の切替スイッチと、互いに異なる周波数帯域の高周波信
号を抽出する複数の高周波フィルタとを有し、前記一対の切替スイッチは、前記局部発振
器部の発振信号の周波数と連動して切り替え可能に構成されていることを特徴とするマル
チキャリア受信機。
【請求項５】
請求項１乃至３の何れか一項に記載のマルチキャリア送信機と、請求項４に記載のマル
チキャリア受信機とを備えたことを特徴とする送受信システム。
【発明の詳細な説明】
【技術分野】
【０００１】
本発明はマルチキャリア送信機、マルチキャリア受信機、及び送受信システムに関わり
、特にキーレスエントリシステム等に適用して好適なものである。
【背景技術】
【０００２】
近年、微弱電波を用いた送受信システムが普及している。このような送受信システムは
、例えば、車両のドアの施錠キーをシリンダーに差し込まなくてもボタン一つで行うこと
ができるキーレスエントリシステム等において利用されている。
なおキーレスエントリシステムでは、車両用のキーに設けられたスイッチを押下すると
、送信機より暗号化がなされたキーレス情報信号が送出される。そして、車両本体に設け
られた受信機において暗号化されたキーレス情報信号を受信すると、解読して所定のキー
レス情報であれば、車両のドアを施錠・開錠するようにしている。
先行文献としては、特許文献１には、キーレスエントリシステムに好適な送受信システ
ムが開示されている。
また特許文献２には、マルチキャリアに対応した発振回路として周波数切替型高周波発
振器が開示されている。
また特許文献３には、ＳＡＷレゾネータ（弾性表面波素子）を用いた電圧制御型ＳＡＷ
発振器として、周波数可変範囲を広く且つ周波数安定度を良くした電圧制御型ＳＡＷ発振
器が開示されている。
【特許文献１】特開２００８−１７２５７３公報
【特許文献２】特開２００２−３３５１２７公報
【特許文献３】特開平８−１３９５２５号公報
【発明の開示】
【発明が解決しようとする課題】
【０００３】
しかしながら、上記特許文献１に示したキーレスエントリシステムなどに用いられる送
受信システムは、妨害電波などが発生して受信機側のＳ／Ｎが劣化した場合は受信するこ
とができないという問題点があった。
また、例えば受信機側のＳ／Ｎの向上を図るために特許文献２に開示されているように
マルチキャリアに対応した発振器を用いることが考えられる。しかしながら、特許文献２
に開示された発振器では、２つの電圧制御発振回路が必要であり、それぞれの電圧制御発
振回路に１つずつの水晶振動子と発振用増幅回路とが搭載されているため、発振回路が大
規模になる。また電圧制御発振回路を個別に周波数調整する必要があるので、製造工程が
複雑となり、製造コストの上昇を招いていた。さらに発振回路をＩＣ化した際にパッケー
ジサイズが大きくなってしまうという問題点があった。
【０００４】
更に、上記した微弱電波を利用した送受信システムは、今後、より広く普及することが
見込まれる。例えば自動車の分野であれば、キーレスエントリシステム限らす、エンジン
スタートシステムやミラー格納システム等においても利用されることが見込まれる。
しかしながら、複数のシステムで利用する場合は、夫々異なる周波数帯の電波を利用し
て送受信システムを構築する必要がある。このため、１つの送信機で、周波数帯の異なる
複数の電波を送信可能に構成しようとした場合は、送信機の大型化を招くという問題点が
あった。
本発明は、上述したような問題を解決するためになされたものであって、妨害電波に強
く、しかも回路の小型化、ＩＣ化を図ることができるマルチキャリア送信機、マルチキャ
リア受信機、及び送受信システムを提供することを目的とする。また本発明は、機能の異
なる情報を異なる周波数帯で送信可能な送信可能なマルチキャリア送信機、マルチキャリ
ア受信機、及び送受信システムを提供することを目的とする。
【課題を解決するための手段】
【０００５】
本発明は、上述の課題の少なくとも一部を解決するためになされたものであり、以下の
形態又は適用例として実現することが可能である。
【０００６】
［適用例１］互いに異なる周波数の発振信号を出力する複数のＳＡＷ発振回路と、前記
複数のＳＡＷ発振回路から出力される前記発振信号のそれぞれに変調を施し、複数の変調
出力信号を出力する変調回路と、前記複数の変調出力信号を合成する混合器と、前記混合
器から出力される合成信号の高域周波数成分を通過させるハイパスフィルタと、前記変調
回路の何れかの前記変調出力信号、または前記ハイパスフィルタを介して出力される前記
混合器の前記合成信号を選択して出力する選択出力回路と、を備えたことを特徴とするマ
ルチキャリア送信機を特徴とする。
【０００７】
このような本発明のマルチキャリア送信機によれば、選択出力回路から変調回路の複数
の変調出力信号のうちの何れかの変調出力信号、または複数のＳＡＷ発振回路とは周波数
帯の異なる混合器の合成信号を選択して出力することが可能になる。つまり、本発明によ
れば、複数のＳＡＷ発振回路の発振信号と、それらＳＡＷ発振回路の発振出力を合成した
合成信号を出力することが可能になる。従って、本発明のマルチキャリア送信機の複数の
発振信号を利用して、例えば１つの情報の送信を行うようにすれば、小型でしかも妨害電
波に強いマルチキャリア送信機を実現することができる。また、本発明のマルチキャリア
送信機の異なる周波数帯の発振信号を利用して、例えば異なる情報の送信を行うようにす
れば、小型でしかも複数の異なるシステムの情報を送信可能なマルチキャリア送信機を実
現することができる。
更に本発明においては、ＳＡＷ発振回路の周波数調整を行うだけで、合成信号の周波数
調整を行うことができるので全ての周波数を別々に調整する場合に比べて周波数調整を容
易に行うことができる。
【０００８】
［適用例２］第１のＳＡＷ共振子を有し、第１の周波数の前記発振信号を出力する第１
のＳＡＷ発振回路と、第２のＳＡＷ共振子を有し、第２の周波数の前記発振信号を出力す
る第２のＳＡＷ発振回路と、を前記複数のＳＡＷ発振回路として有し、前記混合器は、前
記第１及び第２のＳＡＷ発振回路の前記発振信号を入力して合成し、前記第１の周波数と
前記第２の周波数との和の周波数成分を有する信号を出力する適用例１に記載のマルチキ
ャリア送信機を特徴とする。
【０００９】
このような本発明によれば、第１のＳＡＷ発振回路の発振周波数の発振信号、第２のＳ
ＡＷ発振回路の発振周波数の発振信号、及び第１のＳＡＷ発振回路の発振周波数と第２の
ＳＡＷ発振回路の発振周波数との合成周波数の発振信号という３波の発振信号を出力する
ことが可能になる。従って、これらの周波数の発振信号を利用して例えば１つの情報の送
信を行うようにすれば、小型でしかも妨害電波に強いマルチキャリア送信機を実現するこ
とができる。また、第１又は第２のＳＡＷ発振回路の発振信号と、これらの発振信号とは
周波数帯が異なる合成信号を利用して、例えば異なる情報の送信を行うようにすれば小型
でしかも複数の異なるシステムの情報を送信可能なマルチキャリア送信機を実現すること
ができる。
更に、本発明においては、第１のＳＡＷ発振回路の周波数と、第２のＳＡＷ発振回路の
周波数調整を行うだけで、合成周波数の調整を行うことができるので、３波の周波数を夫
々別々に調整する場合に比べて周波数調整を容易に行うことができる。
【００１０】
［適用例３］前記第１のＳＡＷ共振子及び前記第２のＳＡＷ共振子を同一の圧電基板上
に形成した適用例２に記載のマルチキャリア送信機を特徴とする。
【００１１】
このような本発明によれば、第１のＳＡＷ共振子及び第２のＳＡＷ共振子の周波数温度
特性等を揃えることができるので、温度変化や経年変化による周波数変動が小さく周波数
安定度を良好に保つことが可能になる。
【００１２】
［適用例４］入力された高周波信号から所定の周波数帯域成分を抽出する高周波フィル
タ部と、複数の異なる周波数の発振信号を出力する局部発振器部と、前記高周波フィルタ
部により抽出された高周波信号と前記局部発振器部の発振信号とを混合するミキサと、前
記ミキサの出力信号を復調する復調部と、を備え、前記高周波フィルタ部は、一対の切替
スイッチと、互いに異なる周波数帯域の高周波信号を抽出する複数の高周波フィルタとを
有し、前記一対の切替スイッチは、前記局部発振器部の発振信号の周波数と連動して切り
替え可能に構成されていることを特徴とするマルチキャリア受信機を特徴とする。
【００１３】
このような本発明によれば、高周波フィルタ部に一対の切替スイッチと、互いに異なる
周波数の帯域成分を抽出する複数の高周波フィルタを有し、一対の切替スイッチは、局部
発振器部の発振信号の周波数と連動して切り替え可能に構成することで、マルチキャリア
送信機から異なる周波数により送信されてくる情報を確実に受信することが可能になる。
【００１４】
［適用例５］適用例１乃至３の何れか一項に記載のマルチキャリア送信機と、適用例４
に記載のマルチキャリア受信機とを備えた送受信システムを特徴とする。
【００１５】
このような本発明によれば、マルチキャリア送信機から送信可能な複数の周波数の発振
信号を利用して同一の情報を送信すれば、妨害電波等に強い送受信システムを実現するこ
とができる。
また、マルチキャリア送信機から送信可能な周波数帯の異なる発振信号を利用して、異
なる情報を送信すれば、１つのマルチキャリア送信機により異なる複数の機能の送受信シ
ステムを実現することができる。
【発明を実施するための最良の形態】
【００１６】
以下、本発明の実施の形態について説明する。
図１は、本実施の形態の送受信システムの全体構成した図である。
この図１に示すように、本実施の形態の送受信システム１は、マルチキャリア送信機２
とマルチキャリア受信機３とにより構成され、マルチキャリア送信機２の送信アンテナ２
ａを介して送信された電波をマルチキャリア受信機３の受信アンテナ３ａを介して受信す
るようにしている。
【００１７】
図２は、本実施の形態のマルチキャリア送信機の構成の一例を示した図である。
この図２に示すマルチキャリア送信機２は、第１のＳＡＷ発振回路１１、第２のＳＡＷ
発振回路１２、アンプ１３、１４、ミキサ（混合器）１５、ハイパスフィルタ（ＨＰＦ）
１６、及び選択出力回路１７を備える。
第１のＳＡＷ発振回路１１は、後述する第１のＳＡＷ発振器を有し、例えば４００ＭＨ
ｚ帯の周波数ｆ１の発振信号を出力する。一方、第２のＳＡＷ発振回路１２は、後述する
第２のＳＡＷ発振器を有し、例えば４００ＭＨｚ帯の周波数ｆ２の発振信号を出力する。
つまり、第１のＳＡＷ発振回路１１及び第２のＳＡＷ発振回路１２は、同一周波数帯の異
なる周波数ｆ１、ｆ２の発振信号を夫々出力する。
アンプ１３、１４は、それぞれ変調回路として機能しており、外部から入力されるＡＳ
Ｋ（Amplitude Shift Keying）変調信号に基づいて、第１のＳＡＷ発振回路１１及び第２
のＳＡＷ発振回路１２の発振信号に振幅変調を施して出力する。アンプ１３、１４の出力
する変調出力信号は、ミキサ１５及び選択出力回路１７の入力端子ｔ１、ｔ２にそれぞれ
入力される。
ミキサ１５は、第１のＳＡＷ発振回路１１の発振信号の周波数ｆ１と、第２のＳＡＷ発
振回路１２の発振信号の周波数ｆ２を合成した和と差の周波数成分の信号を合成信号とし
て出力する。すなわち、ミキサ１５は、第１のＳＡＷ発振回路１１の発振信号と第２のＳ
ＡＷ発振回路１２の発振信号とを合成し、周波数（ｆ１＋ｆ２）の周波数成分と周波数（
ｆ１−ｆ２）又は周波数（ｆ２−ｆ１）の周波数成分とを有する信号を合成信号として出
力する。
ハイパスフィルタ（ＨＰＦ）１６は、ミキサ１５から出力される合成信号のうち、和周
波数成分ｆ３（ｆ１＋ｆ２）の出力のみを通過させる。ＨＰＦ１６を通過した和周波数成
分の出力は選択出力回路１７の入力端子ｔ３に入力される。
選択出力回路１７は、外部からの選択信号に基づいて入力端子ｔ１〜ｔ３の何れかの変
調出力信号を選択して出力可能とされる。
【００１８】
図３は、第１のＳＡＷ発振回路の回路構成の一例を示した図である。なお、第１のＳＡ
Ｗ発振回路１１と第２のＳＡＷ発振回路１２の回路構成は同一とされるので、本実施の形
態では第２のＳＡＷ発振回路１２の説明は省略する。
図３に示すように第１のＳＡＷ発振回路１１は、第１のＳＡＷ共振子２１ａと、この第
１のＳＡＷ共振子２１ａに直列に接続されるコイル２２と、ＳＡＷ共振子２１とコイル２
２との直列接続回路の両端と接続され、ＳＡＷ共振子２１に電流を流して励振させる発振
用増幅器２３と、発振用増幅器２３の出力端子と入力端子を接続して信号をフィードバッ
クするフィードバック抵抗２４と、発振用増幅器２３の入力端子と出力端子には夫々コン
デンサ２５、２６が接続されている。なお、図３に示した発振回路の構成はあくまでも一
例であり他の回路構成でもよいことは言うまでもない。
【００１９】
図４は、本実施の形態のＳＡＷ共振子の構成を示した図である。
この図４に示すように本実施の形態のＳＡＷ共振子２１は、１枚の圧電基板３１上に、
第１のＳＡＷ発振回路１１を構成する第１のＳＡＷ共振子２１ａと、第２のＳＡＷ発振回
路１２を構成する第２のＳＡＷ共振子２１ｂとが形成されている。
第１のＳＡＷ共振子２１ａは、ＩＤＴ３２ａと、その両側に配置された一対の反射器３
３ａ、３３ａとにより構成される。また、第２のＳＡＷ共振子２１ｂは、ＩＤＴ３２ｂと
、その両側に配置された一対の反射器３３ｂ、３３ｂにより構成される。
このように第１及び第２のＳＡＷ共振子２１ａ、２１ｂを同一圧電基板３１上に形成し
た場合は、第１のＳＡＷ共振子２１ａと第２のＳＡＷ共振子２１ｂの周波数温度特性等を
揃えることができるので、本実施の形態のマルチキャリア送信機２の温度変化や経年変化
による周波数変動が小さく周波数安定度を良好に保つことが可能になる。
【００２０】
図５は、本実施の形態のマルチキャリア受信機の構成の一例を示した図である。
なお、この図５に示すマルチキャリア受信機はＡＳＫ復調回路を備えるものとする。
この図５に示すマルチキャリア受信機３は、ＲＦアンプ４１、ＲＦフィルタ部４２、ミ
キサ４３、ＩＦフィルタ４４、ＩＦアンプ４５、コンパレータ４６、及び局部発振器部４
７により構成される。
ＲＦアンプ４１は、アンテナ３ａを介して入力された電波（高周波信号）を増幅して主
力する。
ＲＦフィルタ部４２は、切替スイッチ５１、５５と、ＲＦフィルタ５２、５３、５４と
により構成される。切替スイッチ５１、５５は、例えば外部から入力される外部切替信号
により連動して切り替え制御を行う。
ＲＦフィルタ５２は、マルチキャリア送信機２から出力される周波数ｆ１の帯域成分の
みを通過させる帯域フィルタにより構成される。ＲＦフィルタ５３は、マルチキャリア送
信機２から出力される周波数ｆ２の帯域成分のみを通過させる帯域フィルタにより構成さ
れる。ＲＦフィルタ５４は、マルチキャリア送信機２から出力される周波数ｆ３（ｆ１＋
ｆ２）の帯域成分のみを通過させる帯域フィルタにより構成される。
ミキサ４３は、ＲＦフィルタ部４２を介して出力される高周波信号と、局部発振器部４
７から出力される局部発振信号とをミキシングして中間周波数（ＩＦ周波数）に変換して
出力する。ＩＦフィルタ４４は、ミキサ４３から出力される中間周波数成分のみを通過さ
せる帯域フィルタにより構成される。ＩＦアンプ４５は、ＲＦフィルタ５３から入力され
るＩＦ信号を増幅して出力する。コンパレータ４６は、ＡＳＫ復調回路として機能してお
り、ＩＦ信号と所定基準電圧レベルとを比較し、その比較結果を検出データとして出力す
る。
【００２１】
局部発振器部４７は、第１の局部発振器６１、第２の局部発振器６２、ミキサ（混合器
）１６３、アンプ６４、ハイパスフィルタ（ＨＰＦ）６５、及び切替スイッチ６６を備え
る。
第１の局部発振器６１は、第１のＳＡＷ共振子６１ａを有し、例えば周波数ｆ１の発振
信号を出力する。第２の局部発振器６２は、第２のＳＡＷ共振子６１ｂを有し、例えば周
波数ｆ２の発振信号を出力する。第１の局部発振器６１及び第２の局部発振器６２の発振
信号は、ミキサ６３及び切替スイッチ６６の入力端子ｔ１、ｔ２に入力される。ミキサ６
３は、第１の局部発振器６１の発振信号の周波数ｆ１と、第２の局部発振器６２の発振信
号の周波数ｆ２を合成した和と差の周波数成分信号を出力する。アンプ６４は、ミキサ６
３から出力される周波数成分信号を増幅する。ＨＰＦ６５は、アンプ６４から出力される
周波数成分信号のうち、和周波数成分ｆ３（ｆ１＋ｆ２）の出力のみを通過させる。ＨＰ
Ｆ６５を通過した周波数ｆ３の出力は切替スイッチ６６の入力端子ｔ３に入力される。
切替スイッチ６６は、切替スイッチにより構成され、外部からの選択信号に基づいて、
上記した入力端子ｔ１〜ｔ３の何れかを選択して出力する可能とされる。
ＲＦフィルタ部４２の切替スイッチ５１、５５、及び局部発振器部４７の切替スイッチ
６６は、一定のタイミングで各周波数ｆ１、ｆ２、ｆ３に切り替えるようにしたり、或い
は図示しない外部制御装置により周波数を選択するように構成してもよい。
【００２２】
上記のように本実施の形態のマルチキャリア送信機２は、周波数ｆ１の発振信号が得ら
れる第１のＳＡＷ発振回路１１と、周波数ｆ２の発振信号が得られる第２のＳＡＷ発振回
路１２と、これら第１及び第２のＳＡＷ発振回路１１、１２の発振信号を変調して得られ
る複数の変調出力信号を合成するミキサ１５と、これらの変調出力信号の何れかを選択可
能な選択出力回路１７と、を備えたことで、周波数ｆ１、ｆ２、ｆ３（ｆ１＋ｆ２）の何
れかを発振信号を利用して送信を行うことが可能になる。
またマルチキャリア送信機２は、周波数ｆ１の発振信号が得られる第１のＳＡＷ発振回
路１１と、周波数ｆ２の発振信号が得られる第２のＳＡＷ発振回路１２とにより周波数ｆ
１、ｆ２、ｆ３の３波の発振信号が得られるので、発振回路をそれぞれ別々に構成する場
合に比べて回路の小型化を図ることができる。また発振信号の周波数調整も、第１のＳＡ
Ｗ発振回路１１の周波数ｆ１と、第２のＳＡＷ発振回路１２の周波数ｆ２の調整を行うだ
けで、周波数ｆ３の調整を行うことができるので、発振回路を別々に構成して、夫々の発
振回路の周波数を調整する場合に比べて、周波数調整を容易に行うことができる。
【００２３】
また本実施の形態のマルチキャリア送信機２では、例えば第１及び第２のＳＡＷ発振回
路１１、１２の周波数ｆ１、ｆ２を４００ＭＨｚ帯とすると、周波数ｆ３は８００ＭＨｚ
帯と異なる周波数帯になるので、周波数ｆ１、ｆ２の発振信号を利用して送信する情報と
、周波数ｆ３の発振信号を利用して送信する情報の種類を変更すれば、小型でしかも複数
の異なるシステムの情報を送信することが可能になる。
また本実施の形態のマルチキャリア受信機３は、高周波フィルタ部４２に一対の切替ス
イッチ５１、５２と、異なる周波数ｆ１、ｆ２、ｆ３の帯域成分を夫々抽出する３つの高
周波フィルタ５２、５３、５４を有し、一対の切替スイッチ５１、５５は、局部発振器部
４７の発振信号と連動して切り替え可能に構成することで、マルチキャリア送信機２から
異なる周波数ｆ１、ｆ２、ｆ３により送られてくる情報を確実に受信することが可能にな
る。
従って、図１に示すように本実施の形態のマルチキャリア送信機２とマルチキャリア受
信機３とにより送受信システムを構築し、マルチキャリア送信機２から異なる周波数の３
波の発振信号を利用して同一の情報を伝送すれば、例えば周波数ｆ１、ｆ２の妨害電波が
発生した場合でも周波数ｆ３の発振信号を利用して情報の送信を行うことができるので、
妨害電波等に強い送受信システムを実現することができる。よって、本実施の形態の送受
信システム１を用いて、例えば自動車等のキーレスエントリシステムを構成すれば、ドア
の施錠／解除を確実に行うことができる。
【００２４】
また本実施の形態の送受信システム１では、マルチキャリア送信機２から送信される周
波数ｆ１、ｆ２の発振信号と周波数ｆ３の発振信号では周波数帯が異なるので、周波数ｆ
１、ｆ２の発振信号をキー情報の送信（周波数ｆ２は周波数ｆ１の妨害対策）に利用し、
周波数ｆ３の発振信号を機能の異なる他の情報、例えばエンジンスタート情報や、ミラー
格納情報等を送信に利用すれば、１つのマルチキャリア送信機２で異なる２つの機能を実
現することができる。
なお、本実施の形態では、マルチキャリア送信機２から３つの異なる周波数の発振信号
を得る場合を例に挙げて説明したがが、これはあくまでも一例であり、ＳＡＷ発振回路の
数を増やして、更に多数の異なる周波数の発振信号を得るようにすることも可能である。
また、本実施の形態では、変調方式としてＡＳＫ変調方式を例に挙げて説明したが、Ｆ
ＳＫ（frequency shift keying）変調方式等を用いることも勿論可能である。
また本実施の形態では、本発明の送受信システムをキーレスエントリシステムに適用し
た場合を例に挙げて説明したが、本発明の送受信システムはＲＦＩＤシステムなどの他の
システムにも適用可能である。
【図面の簡単な説明】
【００２５】
【図１】本実施の形態の送受信システムの全体構成した図である。
【図２】本実施の形態のマルチキャリア送信機の構成の一例を示した図である。
【図３】第１のＳＡＷ発振回路の回路構成の一例を示した図である。
【図４】本実施の形態のＳＡＷ共振子の構成を示した図である。
【図５】本実施の形態のマルチキャリア受信機の構成の一例を示した図である。
【符号の説明】
【００２６】
１…送受信システム、２…マルチキャリア送信機、２ａ…送信アンテナ、３…マルチキ
ャリア受信機、３ｂ…受信アンテナ、１１…第１のＳＡＷ発振回路、１２…第２のＳＡＷ
発振回路、１３、１４…アンプ、１５、４３、６３…ミキサ…ミキサ、１６、６５…ＨＰ
Ｆ、１７…選択出力回路、２１ａ…第１のＳＡＷ共振子、２１ｂ…第２のＳＡＷ共振子、
２２…コイル、２３…発振用増幅器、２４…フィードバック抵抗、２５…コンデンサ、３
１…圧電基板、３２ａ、３２ｂ…ＩＤＴ、３３ａ、３３ｂ…反射器、４１…ＲＦアンプ、
４２…ＲＦフィルタ部、４４…ＩＦフィルタ、４５…ＩＦアンプ、４６…コンパレータ、
４７…局部発振器部、５１、６６…切替スイッチ、５２、５３、５４…ＲＦフィルタ、６
１、６２…局部発振器、６４…アンプ
【図１】
2010063062.tif 000003
【図２】
2010063062.tif 000004
【図３】
2010063062.tif 000005
【図４】
2010063062.tif 000006
【図５】
2010063062.tif 000007